(57)【要約】      （修正有）【課題】非常に簡単な方法で輸送されかつ格納されるような新規な折り畳み式の六輪トロリー構造を提供すること。【解決手段】連結式の下部２と上部３とを含むトロリー骨組み１を含み、その下部２は一対の車輪ホルダ４と連結し、各ホルダ４はトロリー骨組み１の両側部のためのものであり、各々の車輪ホルダ４は、互いに関して１２０°で間隔を置いて配置される三つの突出部を備える三つの放射状に伸びる突出部フレームを含み、その上でそれぞれの車輪５は旋回する。トロリー構造が折り畳まれた状態で、下部２は、ハンドルとして機能する横断部材７に配置される係止および係止解除アセンブリによって上部に旋回し、トロリー骨組み１は、多数の区画構造を有し、少なくとも保温性が高い区画を含む物品保持バッグ１５をさらに支える。【選択図】図３
2010264970.tif 000002
【特許請求の範囲】
【請求項１】
改良された折り畳み式の六輪トロリー構造であって、
該トロリー構造は、連結式の骨組み下部と骨組み上部とを含むトロリー骨組みを含み、該下部は一対の車輪ホルダと関係し、該ホルダは各々該トロリー骨組みの両側部のためのものであり、各々の該車輪ホルダは、互いに関して１２０°で間隔を置いて配置される三つの放射状に伸びている突出部を含むホルダ・フレームを含み、その上でそれぞれの車輪は旋回し、該車輪ホルダの各々は旋回ハブにより該トロリー骨組み下部に対して旋回することにより、該車輪ホルダが３６０°の完全な一回転の実行を可能にし、該トロリー構造がその折り畳まれた状態にあると、該トロリー骨組み下部は、トロリー・ハンドルとして機能する横断部材に配置される係止および係止解除手段によって該トロリー上部に対して旋回し、該トロリー骨組みは、少なくとも保温性が高い区画を含む複数のバッグ区画を含む物品保持バッグを支持することにおいて特徴付けられる、改良された折り畳み式の六輪トロリー構造。
【請求項２】
前記係止および係止解除手段は、前記横断部材の遠方端に配置され、それぞれのフック要素を前記トロリー骨組み上部と一体に係合させるのに適する押しボタン式係止ピンまたは他の係止要素を含むことにおいて特徴付けられる、請求項１記載のトロリー構造。
【請求項３】
前記トロリー骨組み上部は本質的にリングのようなハンドルを含み、その中に前記物品バッグのフラップと係合するのに適する一つまたはそれ以上の突起が形成されることにおいて特徴付けられる、請求項１記載のトロリー構造。
【請求項４】
前記物品バッグはその上部で前記ハンドルに連結され、その下部で前記トロリー骨組み下部と一体の支持アセンブリによって支えられることにおいて特徴付けられる、請求項１記載のトロリー構造。
【請求項５】
前記支持アセンブリは、横の補強ロッド要素によって該支持アセンブリに対して旋回するＵ型の支持棒を含むことにおいて特徴付けられる、請求項４記載のトロリー構造。
【請求項６】
前記物品バッグが、例えば冷凍製品などの傷みやすい食品を輸送するための少なくともふいご型の保温性が高い区画を含む複数のバッグ区画を含むことにおいて特徴付けられる、請求項１記載のトロリー構造。
【請求項７】
前記折り畳み式の六輪トロリー構造は、使用状態において、拡張位置で互いに係止する前記トロリー骨組み下部および上部を示し、前記物品バッグは前記ハンドルに連結し、前記バッグは、一杯の状態で、前記支持アセンブリ上に乗ることにおいて特徴付けられる、請求項１記載のトロリー構造。
【請求項８】
前記トロリーは、前記フック要素分離させ、前記トロリー骨組み上部が、前記トロリー骨組み下部と実質的に平行した位置に回転させるように、前記横断部材の押しボタンを動かすことによって容易かつ迅速に折り畳むことができ、そのように折り畳まれた状態で、前記トロリー構造は、非常に少ないスペースしか占有せず、ハンドルとして該横断部材を用いることにより容易に運搬されるのに適していることにおいて特徴付けられる、請求項１記載のトロリー構造。
【発明の詳細な説明】
【技術分野】
【０００１】
本発明は、改良された折り畳み式の六輪トロリー構造に関するものである。
【背景技術】
【０００２】
一対の車輪を有し、バッグまたは他のコンテナを支持するトロリーの骨組みを含む物体および物品を輸送するトロリーは、すでに公知である。
【０００３】
上記の従来のトロリーはショッピングカートとして多用され、その二つの車輪上で回転させることによってトロリーを引っ張るように、通常、ユーザによって握持されるハンドルを含む。
【０００４】
従来のトロリーは折り畳み式の構造を有し、トロリーが容易にかつ迅速に開閉できるいくつかの機械式のシステムを含む。
【発明の概要】
【０００５】
本発明の目的は、その使用されていない状態で、非常に簡単な方法で輸送されかつ格納されるような新規な折り畳み式の六輪トロリー構造を提供することである。
【０００６】
上述した目的の範囲内において、本発明の主な目的は、例えば冷凍された製品などの傷みやすい食品の輸送に特に役立つような折り畳み式のトロリー構造を提供することである。
【０００７】
本発明の別の目的は、非常に強い構造および非常に高い負荷保持能力を有し、一方で、非常に簡単な方法で使うことができるようなトロリー構造を提供することである。
【０００８】
さらに、本発明の別の目的は、特に設計されたその構造上の特徴により、作動中に非常に信頼性が高くて安全であるようなトロリー構造を提供することである。
【０００９】
本発明の一態様では、以下においてより明瞭になる他の目的と同様に上述した意図および目的は、改良された折り畳み式の六輪トロリー構造によって達成され、そのトロリー構造は連結式の下部および上部を含むトロリー構造骨組みを含み、その連結式の下部は一対の車輪ホルダと関係し、そのホルダは各々トロリー骨組みの側部のためのものであることにおいて特徴付けられる。
【００１０】
各々の車輪ホルダは、互いに１２０°で間隔を置いて配列され、それぞれの車輪が上で回転する三つの放射状に伸びる突出部を含むホルダ・フレームを含む。
【００１１】
その車輪ホルダは、車輪ホルダが完全に回転できるようにハブを連結することによって、順番に回転するまたはトロリー骨組みの下部に連結される。
【００１２】
下部は、トロリー構造が折り畳まれた状態にあると、トロリー・ハンドルとして機能する横断部材に配置される係止および係止解除手段によって上部に回転する。
【００１３】
トロリー骨組みは、少なくとも保温性が高い区画を含む複数のバッグ区画を含む物品保持バッグを支持する。
【図面の簡単な説明】
【００１４】
本発明のさらなる特徴および効果は、添付の図面において、制限的ではなく説明的な実施例を表す、好ましいが限定的でない本発明の実施態様の詳細な開示から以下においてより明瞭になる。そこで：
【図１】図１は、その使用状態における本発明の折り畳み式のトロリー構造の斜視図である；
【図２】図２は、その使用状態における本発明のトロリー構造を示す側面図である；
【図３】図３は、トロリー構造を閉じる操作モードを例示する斜視図である；
【図４】図４は、トロリーの閉鎖動作の開始を示す立面図である；
【図５】図５は、トロリー骨組みの上部の回転または連結領域をそのトロリー骨組みの下部まで詳細に示す上記の図に関して拡大された斜視図である；および、
【図６】図６は、容易に輸送または格納されるために引っ込めた状態のトロリー構造を示す斜視図である。
【発明を実施するための形態】
【００１５】
上述した図の参照の数に関して、本発明のトロリー構造は一般に、下部の回転または連結部分２および上部３を含むトロリー骨組みを含む参照番号１によって示される。
【００１６】
下部２は、各々トロリー骨組みの側部のためのものである車輪ホルダ４の一組と関連する。
【００１７】
各々の車輪ホルダ４は、互いに関して１２０°で配置され、その上でそれぞれの車輪５が回転する三つの放射状に伸びる突出部を含むホルダ・フレームを含む。
【００１８】
各々の車輪ホルダ４はさらに、車輪ホルダが３６０°の完全な回転を可能にする回転手段６によって、トロリー骨組み下部２に回転または連結される。
【００１９】
トロリー構造の六輪配置によって、トロリーを階段上にさえ運ぶことができ、そして、一般にトロリーは、例えば歩道または舗道のような段のある構造を容易に乗り越えることができる。
【００２０】
示されるように、トロリー骨組みの下部２は、トロリーの折り畳まれた状態で、その上部にトロリー・ハンドルとして使われるのに適する横断部材を含み、その横断部材は、頂部または上部３を係止および係止解除するための係止および係止解除手段を含む。
【００２１】
係止および係止解除手段は、横断部材７の両端部分９に配置され、トロリー骨組みの上部３と一体のそれぞれのフック要素１０を係合するために適応されたピン要素１２または他の係止要素を動かす押しボタン８を含む。
【００２２】
トロリー骨組みの上部３は次に、通常参照番号１５で示される物品保持バッグのフラップ１４を係合するように提供される一以上の突起１３がその中で提供される本質的にリングのようなまたは環状構造のハンドルまたは握持手段１１を含む。
【００２３】
物品バッグ１５は、その上部でハンドル１１に連結され、トロリー骨組みの下部２と一体の支持アセンブリ１６によってその下部で支えられる。
【００２４】
支持アセンブリ１６は、Ｕ型を有し、横の補強ロッド要素１８によってトロリー骨組みに対して旋回する支持棒１７を含む。
【００２５】
好都合にも、物品バッグ１５は、複数の区画、および、例えば冷凍製品などの傷みやすい食品を輸送するための送風装置の構成の少なくとも保温性が高い区画を含む。
【００２６】
図１および２は、その使用状態における本発明の折り畳み式の六輪トロリー構造を示し、そこで、トロリー骨組みの下部および上部はその広げられた位置で相互に係止され、物品バッグ１５はトロリー・ハンドル１１に係合またはラッチ係合し、バッグが満杯の状態において支持アセンブリ１６上で持ちこたえる。
【００２７】
このようにトロリー・ハンドル１１を握持することによって、トロリーはいかなる所望の面の上でも容易に摺動して移動することができ、二つの三輪の一対の供給により、階段および例えばステップ、プラットフォームその他のようないかなるタイプ障害物の上でも移動することができる。
【００２８】
その使用終了後、トロリーは、フック要素１２を分離させ、トロリー骨組み下部２と実質的に平行した位置にそれを持ってくるようにトロリー骨組みの上部３を回すため、単に横断部材７の押しボタン８を動かすことによって、迅速かつ容易に折り畳まれる。
【００２９】
そのように折り畳まれた状態において、骨組み構造１は非常に少ないスペースを占有して、ハンドルとしての横断部材を用いて容易に輸送されることができる。
【００３０】
本発明が完全に計画した意図および目的を達成することが明らかになった。
【００３１】
本発明の実施において、付随するサイズおよび形状と同様、使用される材料は、必要条件次第で何れであってもよい。
【符号の説明】
【００３２】
１  トロリー骨組み
２  下部
３  上部
４  車輪ホルダ
５  車輪
７  横断部材
８  ボタン
９  両端部分
１０  フック要素
１１  ハンドル
１３  突起
１４  フラップ
１５  物品保持バッグ
１６  支持アセンブリ
１７  支持部
１８  補強ロッド要素
【図１】
2010264970.tif 000003
【図２】
2010264970.tif 000004
【図３】
2010264970.tif 000005
【図４】
2010264970.tif 000006
【図５】
2010264970.tif 000007
【図６】
2010264970.tif 000008